(57)【特許請求の範囲】
【請求項１】
首部に巻回して装着する縦襟状の首帯からなる首巻き部と、扇状形態にデザインした胸当て部を一体的に形成し、首巻き部の装着部分を首の丸みに合わせる湾形態にし、胸当て部を胸に沿わせる角度を付けた扇状形態にした保護防具において、胸当て部は、乳首よりも上方位置から両肩部の腕の付け根あたりおよび鎖骨周辺を覆う扇状形態であり、首巻き部を首部に巻回するのに、首帯の固定と、着脱の利便性を高めるために、首巻き部は、基端側を胸当て部より僅かに突出させた短片にし、首巻き部の他方側を胸当て部より長く延出させた長片にし、短片と長片との合計長さを首周りの一回転半以上の長さに形成して、首の前部から首の左右部分に位置する長片が、胸当て部に一体的になった首巻部の外側で二重巻きになるようにして首部の左右二箇所で接離自在に接合するようにし、首巻き部と胸当て部を布で厚手状に構成して一体的に縫製形成し、胸当て部の表は厚手のデニムを使用し、内部に衝撃をやわらげるためのクッション材を使用し、裏側は綿生地を使用して素肌に直接装着できるようにし、胸当て部をステッチ縫いしたことを特徴とする武道、スポーツにおける保護防具。
【発明の詳細な説明】
【技術分野】
【０００１】
本発明は、武道、スポーツにおける打つ、突き、叩く等の競技術に起因する衝撃から、首、肩、鎖骨周辺を保護して衝撃を緩和する保護防具に関するものである。
【背景技術】
【０００２】
従来、剣道やなぎなた、銃剣術の競技などは、打つ、突き、叩く等の競技術に起因する衝撃から、頭や顔、首、肩などを保護するために面を付けて練習や競技を 行う。そして、例えば特許文献１のように剣道の面の場合、打ち込み技や突き技の衝撃から肩部や喉、首を保護するために、剣道用面防具の左右に面布団垂れや 正面下方に垂状の突き当てを取り付けたものが一般的である。
【特許文献１】特開平９−１０８３９５号公報
【０００３】
この特許文献１のような形態のものでは、突き技の場合に、突き当てを外れた竹刀の先端が突き当てと面布団の間に突入して首部をかすめて通過し、時々首の側 部を裂傷する恐れがある。そのため突き技の練習が敬遠されたり、突き技を練習するときに手加減したり、突き技を受ける恐怖心から稽古に精彩を欠くことになり、突き技のみならず剣道全体の心技体に繋がる稽古に支障をきたす誘因ともなり、技が冴えずに上達しない原因にもなっていた。
そのために、例えば特許文献２のような、特別の突き技稽古台を用意して突き技の練習に励んだり、特許文献３のように、銃剣道肩掛け防具を装着して練習や試合に臨むなどの処置を講じているものもある。
【特許文献２】特開２０００−１４８４９号公報
【特許文献３】実用新案登録第３０８５７２５号公報
【発明の開示】
【発明が解決しようとする課題】
【０００４】
上記のように、従来は、武道、スポーツの練習者や競技者を保護するために接地肌に装着して、練習者や競技者の動きに違和感を与えることなく首、肩、鎖骨周辺を守る適当な防具がなかった為、武道やスポーツの稽古や練習の際、消極的になりやすい結果となっていた。
【０００５】
本発明は、前述の状況を解決するため、打つ、突き、叩く等の競技術に起因する衝撃を緩和して、武道の稽古や、スポーツの練習が、積極的になるようにして心技体の向上に繋がるようにするのを目的としている。
【課題を解決するための手段】
【０００６】
本発明は、前述の課題解決のため、本発明による防具は、首部に巻回して装着する縦襟状の首帯からなる首巻き部と、扇状形態にデザインした胸当て部を一体的に形成し、首巻き部の装着部分を首の丸みに合わせる湾形態にし、胸当て部を胸に沿わせる角度を付けた扇状形態にした保護防具において、胸当て部は、乳首よりも上方位置から両肩部の腕の付け根あたりおよび鎖骨周辺を覆う扇状形態であり、首巻き部を首部に巻回するのに、首帯の固定と、着脱の利便性を高めるために、首巻き部は、基端側を胸当て部より僅かに突出させた短片にし、首巻き部の他方側を胸当て部より長く延出させた長片にし、短片と長片との合計長さを首周りの一回転半以上の長さに形成して、首の前部から首の左右部分に位置する長片が、胸当て部に一体的になった首巻部の外側で二重巻きになるようにして首部の左右二箇所で接離自在に接合するようにし、首巻き部と胸当て部を布で厚手状に構成して一体的に縫製形成し、胸当て部の表は厚手のデニムを使用し、内部に衝撃をやわらげるためのクッション材を使用し、裏側は綿生地を使用して素肌に直接装着できるようにし、胸当て部をステッチ縫いしたことを特徴とする。
【０００７】
すなわち、デザインで定めた形状と、衝撃緩和材により、衝撃をやわらげる構造であることを要旨とし、首部に巻回して装着する縦襟状の首帯からなる首巻き部と、少なくとも両肩部から鎖骨周辺を覆う扇状形態にデザインした胸当て部を、一体的に形成したことを特徴とし、短片と長片とを合計する首帯の長さを、首周りの一回転半以上の長さにし、胸当てに接合してある首帯を、後ろ側、左側、前側、右側を越えるところで装着することを趣旨として、首巻き部を首部に巻回するのに、首の前部と、首の左右部分に位置する首帯が二重巻きになるようにしたことを特徴とする。
【０００８】
そして、首と肩、胸との隙間をできるだけ少なくして、直接身体に対する衝撃を減らすことができるものとし、首巻き部の装着部分を首の丸みに合わせる湾形態にし、胸当て部を胸に沿わせる角度を付けた扇状形態にしたことを特徴とする。
【０００９】
また、首帯の固定と、着脱の利便性を高めるために、マジックテープ（登録商標）等を使用して、首帯の左右二箇所の装着を、首部の左右二箇所で接離自在に巻き回して接合するようにしたことを特徴とする。
【００１０】
さらに、清潔を保つため、洗濯をしやすくする素材を使用し、洗濯による型くずれを少なくするような縫製をすることとし、首巻き部と胸当て部を布で厚手状に構成して一体的に縫製形成し、素肌に直接装着できるようにしたことを特徴とする。
【発明の効果】
【００１１】
本発明により、首、肩、鎖骨周辺の衝撃がやわらぐため、失敗を恐れずに、武道、スポーツの稽古や練習が思い切ってできて、武道本来の楽しみを体験できて、心技体をはじめ武術の向上に寄与できる。そして、首を保護しやすくするため、武道、スポーツの稽古練習が積極的となり、武術の上達に更に効果がある。
また、競技者の身体に密着できる肌当て防具を構成することができ競技への動きを阻害することなく円滑に試合や練習を遂行できる。殊に、首帯の固定と着脱の利便性が高められ、装着の違和感が少なく安定して使用しやすい。
【００１２】
さらに本発明の構成により、洗濯が容易にでき、清潔さが保てる。また、武道着の下で素肌に直接装着した時には、武道着が押さえて胸当て部の縁部がめくれてずれ たりすることなく確実に衝撃防具としての機能を発揮できる。さらに、外からは見えにくいため装着感が少ない。布生地により構成することで冬には首周りの保温に富み、夏には吸汗により爽やかさを保つことができる。
【発明を実施するための最良の形態】
【００１３】
以下、本発明の実施形態を、図面に基づいて説明する。
図１、図２、図３は、保護防具を競技者の首部に装着したときの形態である。図１〜図３に 示すように、本発明の保護防具（１）は首部に巻回して装着し喉仏を充分にカバーするような巾をもたした縦襟状の首帯からなる首巻き部（３）に、首の左右から肩の線に沿い、腕の付け根あたりと鎖骨と乳首の中間を、首の丸みに沿って、円を描くラインをむすんだ扇状形態にデザインした外形からなる胸当て部（４） を、一体的に形成して立体的に接合した形態に形成される。
【００１４】
図１〜３に点線で示すように、保護防具（１）は木綿生地等の洗濯可能な生地で縫製加工してあり、洗濯による型くずれを少なくするため、ステッチ縫い（２）がしてある。図２、３、４に示すように、首巻き部（３）と胸当て部（４）は押縫とかがり縫い（１１）で立体的に身体に沿うようにした角度を維持して接合する。
【００１５】
図６に示すように、首の大小に対応するためと、着脱が簡単になるように、首巻き部（３）は二重巻きが可能になる長さに構成され、マジックテープ（登録商標）等の面形ファースナーのマイナス側（５）を長く、面形ファースナーのプラス側（６）を短く取り付ける。
【００１６】
図５に示すように、胸当て部（４）の表は、強度を得るため、厚手のデニム（７）を使用する。内部に衝撃をやわらげるためのクッション材にシャープ芯（８）を使用する。その内部に吸汗性とクッション性を高める為にタオル地（９）を使用する。裏側は、肌に接するために、綿生地（１０）を使用している。
【００１７】
図１、図８、図９に 示すように、例えば、剣道の試合若しくは稽古に臨む場合に、予め本発明の保護防具（１）を身体の素肌に密着させた状態に装着する。図に示されるように、保護防具（１）は首部に巻回して装着し喉仏を充分にカバーするような上下巾をもたした縦襟状の首帯からなる首巻き部（３）と、該首巻き部（３）の左右から肩を覆う線に沿い、腕の付け根あたりと鎖骨と乳首の中間を、首の丸みに沿って、円を描くラインをむすんだ扇状形態にデザインした外形からなる胸当て部（４）とからなり、競技者の腕の動き、身体の動きに支障のない状態を維持して装着できる。
この場合に、首巻き部（３）を首部に巻回するのに、首帯の固定と、着脱の利便性を高めるために、首巻き部（３）は、基端側を胸当て部（４）より僅かに突出させた短片にし、首巻き部（３）の他方側を胸当て部（４）より長く延出させた長片にし、短片と長片とを合計する首帯の長さを首周りの一回転半以上の長さに形成して、首の前部から首の左右部分に位置する長片が、胸当て部に一体的になった首巻部の外側で二重巻きになるようにして首部の左右二箇所で接離自在に接合するようにしてあるので、着脱の利便性を高めることができる。そして、その上に剣道着（図示せず）を着て保護防具（１）の縁部を押さえた状態にする。この着衣状態にして、従来同様に剣道用面防具を装着して試合もしくは練習をする。
【００１８】
このようにして、剣道の竹刀で、打つ、突き、叩く等を行うが、例えば剣道用面防具の面布団垂れを外れて肩を叩かれた場合には、保護防具（１）の肩部保護により衝撃を緩和できる。
また、突き技で、突き当てを外れた竹刀の先端が突き当てと面布団の間に突入して首部をかすめて通過した場合にも、保護防具（１）の首巻き部（３）が首部を保護しているので裂傷する恐れがない。
さらに、竹刀の先端が胸部分に当たった場合にも、保護防具（１）の胸当て部（４）が衝撃を緩和する。これにより、剣道の試合あるいは練習をする時に思い切って打ち込みや突きなどの技を練習することができ心技体の高揚は勿論のこと技術の向上に寄与できる。
【産業上の利用可能性】
【００１９】
本発明の保護防具（１）は、剣道やなぎなた、銃剣術の武道用の防具として有効であるが、野球やスキー、オートツーリング等、他のスポーツにも応用できる。 更には体温の発散を抑える効果があり、保温性に富み、防寒具としての応用ができ、衝撃の緩和だけに限定されるものではない。
【図面の簡単な説明】
【００２０】
【図１】本発明の保護防具を装着状態にした、上から見た平面図。
【図２】図１を正面から見た正面図。
【図３】図１を側面から見た側面図。
【図４】首帯を接合する前の胸当て部平面図。
【図５】胸当て部を水平から見て、内部を見やすくした要部拡大断面図。
【図６】胸当て部に接合する前の首帯の側面図。
【図７】図６の首帯を上方から見た平面図。
【図８】首巻き部の防具首帯をはずした図。
【図９】首、肩、胸部への装着例を示す作用説明図。
【符号の説明】
【００２１】
１  保護防具
２  ステッチ縫い
３  首巻き部（首帯）
４  胸あて部
５  マジックテープ（登録商標）のマイナス側
６  マジックテープ（登録商標）のプラス側
７  厚手のデニム
８  シャープ芯
９  タオル地
１０  綿生地
１１  押縫とかがり縫い
【図１】
0004242337.tif 000002
【図２】
0004242337.tif 000003
【図３】
0004242337.tif 000004
【図４】
0004242337.tif 000005
【図５】
0004242337.tif 000006
【図６】
0004242337.tif 000007
【図７】
0004242337.tif 000008
【図８】
0004242337.tif 000009
【図９】
0004242337.tif 000010